【手続補正書】
【提出日】平成26年5月9日(2014.5.9)
【手続補正１】
【補正対象書類名】特許請求の範囲
【補正対象項目名】全文
【補正方法】変更
【補正の内容】
【特許請求の範囲】
【請求項１】
第１の通信装置と第２の通信装置とを備える通信システムであって、
前記第１の通信装置は、
データの送信先を示すアドレス帳と、該アドレス帳に含まれるアドレスへデータを送信するためにサーバとの通信が必要であることを示す指示情報とを含むエクスポートデータを生成する生成手段と、
前記生成手段によって生成された前記エクスポートデータを前記第２の通信装置に送信する送信手段とを備え、
前記第２の通信装置は、
前記第１の通信装置から送信された前記エクスポートデータを受信する受信手段と、
前記受信手段によって受信された前記エクスポートデータに従って前記第２の通信装置のアドレス帳及び指示情報を設定する設定手段と、
を備えることを特徴とする通信システム。
【請求項２】
前記第１の通信装置は、
該第１の通信装置に通信可能に接続された外部装置から前記エクスポートデータを送信するためのエクスポート要求を受け付ける受付手段をさらに備え、
前記エクスポート要求には、前記アドレス帳を含むエクスポートデータが必要であるか否かを示す第１情報と、前記指示情報を含むエクスポートデータが必要であるか否かを示す第２情報とが含まれ、
前記生成手段は、
前記第１情報が前記アドレス帳を含むエクスポートデータが必要であることを示すときに、前記アドレス帳を含むエクスポートデータを生成する第１生成手段と、
前記第２情報が前記指示情報を含むエクスポートデータが必要であることを示すときに、前記指示情報を含むエクスポートデータを生成する第２生成手段と、
を備えることを特徴とする請求項１に記載の通信システム。
【請求項３】
前記設定手段は、
前記第２の通信装置に既に前記指示情報が設定されているか否かを判定する判定手段と、
前記判定手段によって前記指示情報が既に前記第２の通信装置に設定されていると判定すると、前記エクスポートデータに従って前記指示情報の設定を禁止する禁止手段と、を備えることを特徴とする請求項１又は２に記載の通信システム。
【請求項４】
前記生成手段は、
前記エクスポートデータとして生成する前記アドレス帳に前記指示情報を必要とするアドレスが含まれていれば、前記アドレス帳及び前記指示情報を含むエクスポートデータを生成し、
前記エクスポートデータとして生成する前記アドレス帳に前記指示情報を必要とするアドレスが含まれていなければ、前記アドレス帳を含み前記指示情報を含まないエクスポートデータを生成することを特徴とする請求項１に記載の通信システム。
【請求項５】
前記指示情報には、前記アドレス帳に含まれるアドレスへデータを送信するためにプロキシサーバを中継する場合の該プロキシサーバのアドレス情報と、前記アドレス帳に含まれるアドレスへデータを送信するためにＤＮＳサーバを用いて名前解決を行う場合の該ＤＮＳサーバのアドレス情報との少なくとも１つが含まれることを特徴とする請求項１乃至４の何れか１項に記載の通信システム。
【請求項６】
他の通信装置へデータを送信する通信装置であって、
データの送信先を示すアドレス帳と、該アドレス帳に含まれるアドレスへデータを送信するためのサーバとの通信が必要であることを示す指示情報とを含むエクスポートデータを生成する生成手段と、
前記生成手段によって生成された前記エクスポートデータを前記他の通信装置に送信する送信手段とを備えることを特徴とする通信装置。
【請求項７】
他の通信装置からデータを受信する通信装置であって、
前記他の通信装置から送信された、データの送信先を示すアドレス帳と該アドレス帳に含まれるアドレスへデータを送信するためのサーバとの通信が必要であることを示す指示情報とを含むエクスポートデータを受信する受信手段と、
前記受信手段によって受信された前記エクスポートデータに従って前記通信装置のアドレス帳及び指示情報を設定する設定手段とを備えることを特徴とする通信装置。
【請求項８】
第１の通信装置と第２の通信装置とを備える通信システムの制御方法であって、
前記第１の通信装置は、
生成手段が、データの送信先を示すアドレス帳と、該アドレス帳に含まれるアドレスへデータを送信するためのサーバとの通信が必要であることを示す指示情報とを含むエクスポートデータを生成する生成ステップと、
送信手段が、前記生成ステップにおいて生成された前記エクスポートデータを前記第２の通信装置に送信する送信ステップと、を実行し、
前記第２の通信装置は、
受信手段が、前記第１の通信装置から送信された前記エクスポートデータを受信する受信ステップと、
設定手段が、前記受信ステップにおいて受信された前記エクスポートデータに従って前記第２の通信装置のアドレス帳及び指示情報を設定する設定ステップと、を実行することを特徴とする通信システムの制御方法。
【請求項９】
他の通信装置へデータを送信する通信装置の制御方法であって、
生成手段が、データの送信先を示すアドレス帳と、該アドレス帳に含まれるアドレスへデータを送信するためのサーバとの通信が必要であることを示す指示情報とを含むエクスポートデータを生成する生成ステップと、
送信手段が、前記生成ステップにおいて生成された前記エクスポートデータを前記他の通信装置に送信する送信ステップと、
を実行することを特徴とする通信装置の制御方法。
【請求項１０】
他の通信装置からデータを受信する通信装置の制御方法であって、
受信手段が、前記他の通信装置から送信された、データの送信先を示すアドレス帳と該アドレス帳に含まれるアドレスへデータを送信するためのサーバとの通信が必要であることを示す指示情報とを含むエクスポートデータを受信する受信ステップと、
設定手段が、前記受信ステップにおいて受信された前記エクスポートデータに従って前記通信装置のアドレス帳及び指示情報を設定する設定ステップと、
を実行することを特徴とする通信装置の制御方法。
【請求項１１】
請求項８に記載の通信システムの制御方法における各ステップをコンピュータに実行させるためのプログラム。
【請求項１２】
請求項９又は１０記載の通信装置の制御方法における各ステップをコンピュータに実行させるためのプログラム。
【手続補正２】
【補正対象書類名】明細書
【補正対象項目名】０００７
【補正方法】変更
【補正の内容】
【０００７】
本発明は、第１の画像処理装置と第２の画像処理装置とを備える画像処理システムとして実現できる。第１の通信装置は、データの送信先を示すアドレス帳と、アドレス帳に含まれるアドレスへデータを送信するためにサーバとの通信が必要であることを示す指示情報とを含むエクスポートデータを生成する生成手段と、生成手段によって生成されたエクスポートデータを第２の通信装置に送信する送信手段とを備え、第２の通信装置は、第１の通信装置から送信されたエクスポートデータを受信する受信手段と、受信手段によって受信されたエクスポートデータに従って第２の通信装置のアドレス帳及び指示情報を設定する設定手段と、を備えることを特徴とする。
【手続補正３】
【補正対象書類名】明細書
【補正対象項目名】０００８
【補正方法】変更
【補正の内容】
【０００８】
また、本発明は、他の画像処理装置へデータを送信する画像処理装置として実現できる。画像処理装置は、データの送信先を示すアドレス帳と、アドレス帳に含まれるアドレスへデータを送信するためのサーバとの通信が必要であることを示す指示情報とを含むエクスポートデータを生成する生成手段と、生成手段によって生成されたエクスポートデータを他の通信装置に送信する送信手段とを備えることを特徴とする。
【手続補正４】
【補正対象書類名】明細書
【補正対象項目名】０００９
【補正方法】変更
【補正の内容】
【０００９】
また、本発明は、他の画像処理装置からデータを受信する画像処理装置として実現できる。画像処理装置は、他の通信装置から送信された、データの送信先を示すアドレス帳とアドレス帳に含まれるアドレスへデータを送信するためのサーバとの通信が必要であることを示す指示情報とを含むエクスポートデータを受信する受信手段と、受信手段によって受信されたエクスポートデータに従って通信装置のアドレス帳及び指示情報を設定する設定手段とを備えることを特徴とする。